(57)【要約】  広告印刷物の目標を定める方法であって、当該方法は以下のステップを含んでおり：すなわち、第１の印刷広告主による第１の広告を備えた第１の広告データを印刷し、当該第１の広告データは第１の広告を識別し、第１の広告データは複数の潜在的顧客の手持ち式装置によってスキャンされ；潜在的顧客に、第１の広告データをスキャンする第１の動機を与え；第１の複数の潜在的顧客によってスキャンされた第１の広告データを中央サーバで受信し、受信された各第１の広告データは複数の手持ち式装置の顧客のうちの１人の識別子とともに受信され；第１の印刷広告主によって第２の広告を作成し、受信された第１の広告データおよび識別子の関数として、この第２の広告を第１の複数の潜在的顧客へ搬送する、ステップを含む、ことを特徴とする、広告印刷物の目標を定める方法。
2009536764.tif 000002
【特許請求の範囲】
【請求項１】
広告印刷物の目標を定める方法であって、当該方法は以下のステップを含んでおり：すなわち、
第１の印刷広告主による第１の広告を備えた第１の広告データを印刷し、当該第１の広告データは第１の広告を識別し、前記第１の広告データは複数の潜在的顧客の手持ち式装置によってスキャンされ；
前記潜在的顧客に、前記第１の広告データをスキャンする第１の動機を与え；
第１の複数の潜在的顧客によってスキャンされた前記第１の広告データを中央サーバで受信し、受信された各第１の広告データは前記複数の手持ち式装置の顧客のうちの１人の識別子とともに受信され；
前記第１の印刷広告主によって第２の広告を作成し、受信された前記第１の広告データおよび識別子の関数として、当該第２の広告を前記第１の複数の潜在的顧客へ搬送する、
ステップを含む、
ことを特徴とする、広告印刷物の目標を定める方法。
【請求項２】
前記第２の広告は手持ち式装置に搬送されたクーポン、Ｅ−メール、または広告印刷物
のうちの１つである、請求項１記載の方法。
【請求項３】
前記第１の広告は広告印刷物である、請求項１記載の方法。
【請求項４】
前記識別子および前記第１の広告データのデータベースを作成することを含む、請求項１記載の方法。
【請求項５】
目標が定められた広告印刷物を提供するためのシステムであって、当該システムは以下のものを含んでおり：すなわち、
中央サーバを含んでおり、当該中央サーバは、複数の手持ち式装置からの、印刷広告主のスキャンされた広告データに関する情報を受信し、当該中央サーバは、前記スキャンされた広告データに関する情報を識別子とともに、検索可能なデータベース内に格納する、
ことを特徴とする、目標が定められた広告印刷物を提供するためのシステム。
【請求項６】
印刷広告主用のグラフィックユーザインターフェースを含んでおり、
当該グラフィックユーザインターフェースは前記中央サーバによって提供され、前記スキャンされる広告データのスキャンのためのプロモーションに関するテキストを入力するための領域を有している、請求項５記載のシステム。
【請求項７】
前記手持ち式装置のためのソフトウェアクライアントを含んでおり、
当該ソフトウェアクライアントによって、前記プロモーションに関するテキストが手持ち式装置上に示され、
当該ソフトウェアクライアントは前記中央サーバから手持ち式装置によってダウンロード可能である、請求項６記載のシステム。
【請求項８】
前記受信された第１の広告データの関数として、広告効果を増大させるために、第３の広告印刷物のセットを作成することを含む、請求項１記載の方法。
【請求項９】
広告効果をさらに増大させるために、広告印刷物のさらなるセットを作成することを含む、請求項８記載の方法。
【請求項１０】
目標を定める方法をさらに改善するために、特定の顧客に関する付加的なデータ源を前記第１の広告データと組み合わせる、請求項１記載の方法。
【請求項１１】
フィードバックを伴う広告を提供するための方法であって、当該方法は以下のステップを含んでおり：すなわち、
第１の広告主に、第１の広告とともに印刷される第１の広告データを提供し、当該第１の広告データは第１の広告を識別し、当該第１の広告データは複数の潜在的顧客の手持ち式装置によってスキャンされ；
前記潜在的顧客に当該第１の広告データをスキャンさせる第１の動機を与え；
応答する潜在的顧客によってスキャンされた第１の広告データを中央サーバで、各応答する潜在的顧客に対する識別子とともに受信し；
第１の印刷広告主に、各応答する潜在的顧客の識別子の関数として情報を提供する、
ステップを含む、
ことを特徴とする、フィードバックを伴う広告を提供するための方法。
【発明の詳細な説明】
【技術分野】
【０００１】
本発明は一般的に広告を備えた印刷材料に関する。
【０００２】
米国特許第6,448,979号および第6,753,883号を両者とも参考文献として取り入れる。この２つの明細書には、広告を含むマルチメディア情報の相互伝達を促進した印刷媒体が記載されている。単独の機器であるスキャナとレシーバがポータルサーバと通信し、ポータルサーバから受信されたマルチメディアシーケンス情報を再生する。広告を機械読み取り可能なコードとともに印刷することができ、例えば、高密度のバーコードを含むバーコードとともに印刷することができ、このようなコードからのデータをスキャナによって読み出すことができる。コードは、プロバイダ情報に相当するリンク情報を含み、英数字シーケンスとすることができる。このシーケンスは、マルチメディアシーケンス情報の再生を行う。スキャナ、レシーバ、またはポータルサーバは、リンク情報をネットワークアドレスに変換することができ、これによりマルチメディアシーケンス情報を再生することができる。付加的にまたは択一的に、ネットワークアドレス情報は、実行可能なコンピュータコードを含み、レシーバまたはスキャナ上で表示されるファイルをポインティングすることができる。このシステムは、付加的コード形式、例えば利益払い戻し情報、リベート情報、およびクーポン情報を使用することを意図している。このシステムはまた、リンク情報のないコード、例えばＵＰＣコードを収集し、管理することができる。人はこのＵＰＣ情報を自宅に持ち帰り、製品に関する情報、クーポン、または別の利益払い戻し情報を得ることができる。
【０００３】
ユーザ入力情報はスキャナメモリに記憶することができる。通信ブリッジはリンク情報を送信することができ、ユーザはレシーバに、そしてネットワークを介してポータルサーバに情報を入力することができる。このシステムによってまた、印刷広告主がその広告の印象を追跡し、スキャンを実行する人について人口統計学的情報を追跡モジュールにより収集することができる。追跡モジュールはさらに、特別の刊行物、刊行物の形式、またはプロバイダから発生するｅ-コマース業務のトランザクション値を追跡し、この業務に基づく料金パーセントを計算することができる。スキャナは、広告がスキャンされた時点を追跡することのできるクロックを有する。
【０００４】
米国特許第6,896,182号も参考文献として取り入れる。この刊行物にはカード識別コードが登録されているカード照合システムが記載されている。読み取りユニットは、カード識別コードをカードから読み取る。照合装置は、読み取りユニットの現在地がカード識別コードに相応する領域に属している場合にのみカードを照合する。カードは決済用のカードであり、カード識別コードが読み取りユニットにより読み取られた場合に使用される。カードの使用地点は、読み取りユニットの現在地と一致する。カードのユーザ位置をカードの照合条件に追加することにより、カードの不正使用を防止することができる。本願はまた、日本特許公開公報、特開平11-500550号に開示された移動型の遠隔操作販売時点端末機に関するものである。会計システムでは、携帯無線会計端末機が設けられている。この端末機でユーザは取引のトランザクションデータを、キーパッドを使用して入力する。物品のＵＰＣバーコードはＣＣＤセンサにより読み取られる。ユーザのクレジットカード、デビットカードおよびスマートカードを読み取ることができる。携帯無線会計端末機は取引とカードデータを中央ネットワークコントローラに、無線通信ネットワークを介して伝送する。中央ネットワークコントローラは、会計設備にあるホストコンピュータに伝送し、会計設備はカードデータと取引をリアルタイムで順次処理する。会計設備は確認データを中央ネットワークコントローラに返信し、無線会計端末機には無線通信ネットワークを介して返信する。このようにして、無線会計端末機は取引の印刷レシートをユーザに発行する。
【０００５】
特定の情報を用いて広告印刷物の目標を定めることは知られている。例えば、地帯設定によって、異なる雑誌が異なる広告物を備えて作成される。高級自動車の広告を備えた雑誌が、特定の郵便番号が宛先にされている雑誌に送られ、例えば、それほど高級でない自動車の広告を備えた同様の雑誌が、異なる郵便番号が宛先にされている雑誌に送られる。
【０００６】
異なる電話番号またはクーポンコードを特定の広告（例えばクーポン）に対して使用することも知られている。例えば特定のクーポンコードが１つの郵便番号に送られ、この郵便番号に対する応答率が識別される。
【０００７】
発明の概要
本発明は、広告印刷物の目標を定める方法を提供し、この方法は以下のことを含む：すなわち、
第１の印刷広告主による第１の広告を備えた第１の広告データを印刷し、当該第１の広告データは第１の広告を識別し、第１の広告データは複数の潜在的顧客の手持ち式装置によってスキャンされ；
潜在的顧客に、第１の広告データをスキャンする第１の動機を与え；
第１の複数の潜在的顧客によってスキャンされた第１の広告データを中央サーバで受信し、受信された各第１の広告データは複数の手持ち式装置の顧客のうちの１人の識別子とともに受信され；
第１の印刷広告主によって第２の広告を作成し、受信された第１の広告データおよび識別子の関数として、この第２の広告を第１の複数の潜在的顧客へ搬送する、
ことを含む。
【０００８】
本発明は、目標が定められた広告印刷物を提供するためのシステムも提供する。このシステムは以下のものを含む：すなわち、
中央サーバを含んでおり、中央サーバは、複数の手持ち式装置からの、印刷広告主のスキャンされた広告データに関する情報を受信し、この中央サーバは、スキャンされた広告データに関する情報を、検索可能なデータベース内に識別子とともに格納する。
【０００９】
本発明は、フィードバックを伴う広告を提供するための方法も提供する。この方法は以下のことを含む：すなわち、
第１の広告主に、第１の広告とともに印刷される第１の広告データを提供し、この第１の広告データは第１の広告を識別し、この第１の広告データは複数の潜在的顧客の手持ち式装置によってスキャンされ；
潜在的顧客にこの第１の広告データをスキャンさせる第１の動機を与え；
応答する潜在的顧客によってスキャンされた第１の広告データを中央サーバで、各応答する潜在的顧客の識別子とともに受信し；
第１の印刷広告主に、各応答する潜在的顧客の識別子の関数として情報を提供する、
ことを含む。
【００１０】
図面の簡単な説明
本発明を、次の図面を参照して詳細に説明する。
【００１１】
図１は、本発明のシステムの１つの実施形態を概略的に示す。
図２は、本発明のフィードバックシステムのフローチャートを示す。
図３は、印刷広告に関するプロモーション作成のための第１のグラフィックなユーザーインターフェーススクリーンを示す。
図４は、手持ち式装置上の、第２のグラフィックなユーザーインターフェーススクリーンを示す。
【００１２】
詳細な説明
本発明によって有利には印刷広告主は情報を得ることができ、目下のフィードバックに基づいて広告の目標を定めることができ、個人または個人の手持ち式装置に関連した識別に対する、広告効果に関する特別な情報を得ることができる。この特別な情報に基づいて、それらの個人または個人のグループに、さらなる広告を直接的に送ることができる。
【００１３】
挿入機、中綴機、無線綴製本機のような製本装置と組み合わせて使用される場合に本発明は特に効果的である。個々の移動者（hoppers）が情報の関数として活性化され、直接的に個人に目標が定められた印刷物が形成される。
【００１４】
図１は、本発明の１つの実施形態の全体的な概観を示す。広告主３１からの広告３２は例えば雑誌３０に印刷されている。雑誌名、ページ、および広告主識別情報のような広告データ３４は、例えば符合形式で設けることができる。これは米国特許第6448979号明細書に記載されている。潜在的顧客４４は、例えばApple社のiポッドまたは携帯電話のような手持ち式装置を有している。手持ち式装置はスキャナ４２を有し、このスキャナは印刷広告データ３４をスキャンし、広告データを手持ち式装置４０のメモリに入力することができる。スキャナ４２は装置の一部とするか、または脱着可能とすることができ、静止保持されるカメラを含むことができる。
【００１５】
広告データ３４がスキャンされる度に、潜在的顧客４４には、特定の印刷広告主で、該潜在的顧客の特定の顧客ポイントプログラム５０の顧客ポイントを増加することができる。例えば、スキャンされる広告は、次のような地方の小売業者１５０に関する広告とすることができる。すなわち、スキャンを行うことによって該小売業者の顧客ポイントプログラムの５０ポイントを特別に供給することを広告する小売業者１５０に関する広告とすることができる。その際にはカスタマ４４は、例えばＵＳＢリンクまたは赤外線リンクを介して家のコンピュータまたは別の装置にリンクすることができる。このようにして、カスタマは例えば、異なる広告主１５０，１５２，１５４の複数の顧客ポイントプログラム５０，５２，５４を管理する中央サーバ６０にアクセスすることができる。ユーザは例えば、ウィンドウボタンをマウスクリックすることにより、手持ち式装置に記憶された地方の小売業者に関するスキャンされた広告データを、顧客ポイント収集サーバ６０にダウンロードすることができる。小売業者１５０は中央サーバに、リンク６１を介して広告のためのプロモーションコードを供給することができる。スキャンされた広告データが受信されると、手持ち式装置に対する装置ＩＤとのリンクを介してカスタマのアカウントにクレジットされ、リンク６２によって示されているように、該広告データおよびプロモーションコードが小売業者１５０に送信される。このようにして小売業者１５０は、特定の手持ち式装置が特定の広告を読んでスキャンしたこと、例えば０６年６月６日付の第５頁に示された地方の雑誌広告を読んでスキャンしたことを知る。このようにして、小売業者に有利な情報、例えば特定の顧客ポイントアカウント保持者が読む刊行物の種類や広告に対する応答率等の情報を蓄積することができる。この情報は、アカウント保持者の購買パターン等の既知のデータに結びつけることができ、広告の有効性を改善するために分析することができる。
【００１６】
上記の実施形態では、ウェブサイトをクリックすると、小売業者１５０に関する広告データを探索するための手持ち式装置のデータベースの探索が開始される。例えば、特定の小売業者の広告データは独自の５桁のコードで始まることができる。このことによって、この特定の小売業者の全ての広告データがサーバ６０にダウンロードされる。その後、このデータを手持ち式装置から消去することができる。顧客ポイント収集サーバ６０および／または手持ち式装置４０は重複するスキャンを阻止することにより、潜在的顧客が同じ広告を２回スキャンして顧客ポイントを受け取ることがなくなることを保証することができる。
【００１７】
このようなマウスクリックの実施形態とは反対に、広告データを手持ち式装置４０からサーバ６０へ送信してもよい。例えばカスタマ４４は手持ち式装置４０上の入力装置４６を介して、例えばディスプレイ４８上に示された表示情報を介して、格納されている広告データをスクロールすることができる。この表示情報は広告データの関数であり、付加的情報が例えば手持ち式装置の、表示情報を備えるサーバとのインタフェースを通して得られる。例えば、特定の記憶された広告データに対して小売業者の名前を表示することで、顧客は手持ち式装置４０上の入力装置４６のボタンを押して該広告データをサーバ６０に送信できるようにすることができる。
【００１８】
サーバ６０は、この送信された広告データを確認して受け入れることができる。この実施形態では、サーバは重複を阻止することにより、１人のカスタマからの１つの広告を受け入れることができるのは１回のみとすることができる。ユーザまたは手持ち式装置はこの広告データを消去することができる。というのもユーザは、同一のデータは２度と受け入れられないことを知っているからである。送信されたデータは、実際のスキャンされたデータも、例えば広告が読み出された時刻等の付加的なデータも含むことができる。サーバは、このユーザに対して相応の顧客ポイントプログラムをクレジットすることができ、ここでは小売業者１５０のプログラム５０をクレジットする。
【００１９】
広告主３１（小売業者１５０、販売店オーナー１５２またはハードウェア販売店１５４を含む）は、例えば異なる刊行物ごとのスキャン率をモニタリングすることにより、広告３２の有効性を検出することができる。広告主はまた、この広告に関連するインセンティブ情報の有効性を検出することもできる。例えば、スキャンすることによって１０ポイントの顧客ポイントが得られることが記載された１０，０００個の広告と、スキャンすることによって２０ポイントの顧客ポイントが得られることが記載された１０，０００個の広告とを小売業者１５０は印刷し、これらの広告のうちどちらが１０ポイントを提供しどちらが２０ポイントを提供するかを示す広告データを供給することができる。広告主は、値の変化が広告に対する応答率を変化させるか否かを見ることができる。
【００２０】
広告主３１はまた、例えば販売時点７０で、顧客ポイントの引き換えを追跡することもできる。
【００２１】
雑誌または新聞の印刷出版物製造者も顧客ポイント収集サーバ６０を管理して、全ての広告データに関する情報を記憶することができる。例えば、GOSS INTERNATIONAL CORPORATION がサーバ６０を管理し、広告主３１に情報を提供し、カスタマ４４の複数の顧客ポイントプログラム５０，５２，５４とのインタラクションも管理することができる。このようにして収集サーバ６０は、個々の広告主に対して個別に顧客ポイントプログラムを設置することの他に付加的に、カスタマに対して中央ポイントを供給して、該カスタマの全ての顧客ポイントプログラムを管理し、必要とされるパスワードアクセスを１つとすることもでき、例えば、所有するウェブサイトを、例えば www.mygossspot.com １つにすることもできる。カスタマが広告をスキャンして中央のウェブサイトにアクセスし、マウスをクリックすると、手持ち式装置からの広告データがダウンロードされ、この特定の広告に対する顧客ポイントが顧客ポイントプログラム５０，５２，５４に割り当てられる。各プログラムアカウントは、中央のウェブサイトにおけるユーザのアカウントで見ることができる。というのも、広告プログラムに参加する広告主は、顧客ポイント収集サーバのマネージャと共働するからである。
【００２２】
図２には、広告印刷物の有効性を高めるための、広告主３１、例えば小売業者１５０、販売店１５２またはハードウェア販売店１５４に対する有利な実施形態のフローチャートが示されている。潜在的な広告主が、例えば第１のステップ２００においてユーザ名およびパスワードを作成して、例えば www.mygossspot.com という中央のウェブサイトにログオンすることができる。ステップ２１０において広告主３１は、特定の広告印刷物３２に対するプロモーションを作成し、例えば顧客ポイントプログラムで１０の顧客ポイントを提供し、該広告３２の識別子を入力し、例えば NEWSDAY 9/10/2006 VERSION 1 を入力する。有利には、プロモーションを作成するためのウェブページは、オプトインレベルを用いて階層構造のプロモーションを供給することができ、例えば、読み手が広告をスキャンして、スキャンされたこのデータを装置ＩＤとともにサーバ６０に送信すると、該ウェブページは１０ポイントの顧客ポイントを提供し、例えば読み手が広告をスキャンして、スキャンされたこのデータを装置ＩＤおよびＥ−メールアドレスとともにサーバ６０へ送信すると、該ウェブページは２０ポイントを提供し、読み手が広告をスキャンして、このスキャンされたデータを装置ＩＤおよびＥ−メールアドレスおよび質問調査への回答とともにサーバ６０に送信すると、該ウェブページは３０ポイントを提供する。
【００２３】
図３は広告印刷物３２のためのプロモーションを作成するグラフィックユーザインターフェースの例を示している。印刷広告主３００は、例えば、ユーザＩＤおよびパスワードによって知られており、ブロック３１０において支払い方法を選択することができる。これはれ例えばファイル上のクレジットカードである。広告主には、広告印刷物と関連付けされているスキャン可能なデータのためのコード番号が与えられており、これはブロック３２０内に入力される。広告主の内部プロモーションコードはブロック３３０内に入力される。広告主はプロモーションメッセージテキストをブロック３４０内に入力することができる。このテキストは、この広告印刷物に関連付けされたスキャン可能なデータをスキャンする読者の手持ち式装置に送られる。このテキストは例えば「あなたは１０ポイント獲得しました」である。有利には様々なさらなるオプショナルテキストメッセージが送信される。これは例えばブロック３４２内にテキストが入力される「Ｅメールアドレスを入力して、さらに１０ポイントを獲得」である。オプショナル応答に関連したアクションに対するＥ−メールアドレスはブロック３４４内に入力される。このようにして、読者がブロック３４２内のテキストへの応答を入力すると、履行のために、この応答および識別情報が販売者のＥ−メールアドレスに送信される。その後、広告主はプロモーションを行い、今後の使用のために、データを選別し、データベース内に格納する。１つよりも多いオプトインレベルテキストブロックおよび関連付けされたＥ−メールアドレスブロックを設けることもできる。
【００２４】
各装置４０は例えばソフトウェアクライアントを有している。これは、広告データ３４がスキャンされると、プロモーションを受信するためにデータを送信したいか否かを顧客４４に問い合わせ、オプトインブロックに関連する目下のオプション番号を有する。これは例えば装置ＩＤとともに、または装置ＩＤとＥ−メールとともに、または装置ＩＤ、Ｅ−メールおよび問い合わせ応答とともにデータを送信する。このソフトウェアクライアントは、サーバ６０から装置４０へダウンロードされる。種々のプログラム５０、５２、５４における個人の顧客ポイントアカウントがその都度作成され、データが送信される。従って例えば顧客４４が小売業者５０からの広告をスキャンし、スキャンされたデータ３４を送信すると、サーバ６０は、ユーザＩＤが、顧客ポイントプログラム５０内における全ての存在するアカウントと一致するかをチェックし、一致しない場合には装置ＩＤに基づいて新たなアカウントを作成する。このアカウントは別個に、例えば、顧客４４によってソフトウェアクライアントのダウンロードに基づいて作成されてもよい。
【００２５】
図４は、ＧＵＩ上に示されているプロモーションメッセージ３５２、並びにオプトインレベル１テキスト３５４を備えた手持ち式装置４０のＧＵＩまたはディスプレイ４８を示している。領域３５６でのカーソルまたはデータ入力領域は、ユーザによって応答を入力するために使用される。
【００２６】
ステップ２２０では、広告主３１は入力し、特別なＮＥＷＳＤＡＹ広告３２およびプロモーションに対して例えば２Ｄバーコード３４を受信する。このバーコード３４イメージはその後、例えば広告３２を含む版を印刷するプリプレスプロセスに加えられる。
【００２７】
ステップ２３０では、広告主１５０はウェブページ上でこの広告３２および他の広告に相応するデータを見ることができる。例えば、広告主１５０は７００のＮＥＷＳＤＡＹ  ＶＥＲＳＩＯＮ１広告がスキャンされたこと、さらに６０００のＮＥＷＳＤＡＹ  ＶＥＲＳＩＯＮ２広告がスキャンされたことを知ることができる。このデータはデータ、装置ＩＤ等によってアレンジされる。装置のユーザに関するインフォメーションが格納されている、または提供される場合には、郵便番号、人口統計情報または収入情報等が対応付けされ、同様に分析される。付加的に、セールの時点７０で広告主１５０、１５２、１５４は、プロモーションの目下の回収を個人の顧客ポイントアカウントレベルまたはクーポンで追跡することができる。広告を読むことおよびスキャニングに関する広告効果だけでなく、セールス上の広告効果が追跡可能である。
【００２８】
特に、情報を各措置ＩＤに対して格納することができる。従って例えば、装置ＩＤ１８７４５６が、広告コードから知られている特定の製品、例えば高級車の１０つの異なる広告をスキャンしたことが突き止められる。また装置ＩＤ１８７７７が同じ高級車に対する異なる８つの広告をスキャンし、装置ＩＤ１８７７８はスキャンしていない、ということも突き止められる。
【００２９】
この情報はその後、さらなる広告を送信するために使用される。これは例えばダイレクトメールまたはクーポンまたはＥ−メールである。広告主にはデータベースに対する問い合わせメカニズムが与えられる。これは例えばＳＱＬベースのウェブページであり、これによって全ての装置ＩＤが識別される。ここでは特定の製品（ここでは高級車）の広告の数は例えば３を超えている。ステップ２１０ではその後、第２の広告がこれらの装置ＩＤにのみ送信される。これは例えば手持ち式装置を介したメッセージによって行われる。さらなる情報、例えばＥ−メール、住所、または雑誌印刷情報が知られている場合には、第２の広告がそのようにしても送られる。
【００３０】
データベースを使用している広告主は問い合わせに対して１つ以上の変形を使用することができる。これは例えば、高級車の広告と高級時計の広告の両方をスキャンし、装置ＩＤに関する郵便番号コードを有する各装置ＩＤを識別することである。その後、この郵便番号内またはこの郵便番号近郊にある高級レストランのさらなる広告、例えばクーポンまたは他のプロモーションを送る。
【００３１】
目下の購買情報および付加的な情報は装置ＩＤデータベース内に累積される。これは例えば、装置ＩＤに関連したＥ−メールから知られるｅコマーストランザクションであり、または装置ＩＤに送られたクーポンを用いた目下の売り上げである。申し込み情報が知られている場合には、雑誌および折り込み広告が、このデータベース情報を用いて搬送され、このメディア等における、さらに目標が定められた広告が行われる。
【００３２】
広告印刷物の個人の閲覧に関するデータベースおよび情報を提供すること、および装置ＩＤをこの閲覧に関連付けすることによって、より効果的かつ目標が定められた広告を行うことができる。
【００３３】
本願発明で規定されているスキャナはカメラを含んでおり、スキャニングは手持ち式装置を動かすことを必要としない。
【図面の簡単な説明】
【００３４】
【図１】本発明のシステムの１つの実施形態を概略的に示す。
【図２】本発明のフィードバックシステムのフローチャートを示す。
【図３】印刷広告に関するプロモーション作成のための第１のグラフィックなユーザーインターフェーススクリーンを示す。
【図４】手持ち式装置上の、第２のグラフィックなユーザーインターフェーススクリーンを示す。
【図１】
2009536764.tif 000003
【図２】
2009536764.tif 000004
【図３】
2009536764.tif 000005
【図４】
2009536764.tif 000006
【国際調査報告】
2009536764.tif 000007
2009536764.tif 000008